(57)【要約】【課題】面材を簡単に取付け取外しすることのできる、新しいキャビネット用前板を提供する。【解決手段】枠体（２）を、枠基材（２１）及びカバー枠材（２２）とからなる二部材構成とし、枠基材（２１）を、幅狭の第一段部（２１１）及び幅広の第二段部（２１２）とを有し、第二段部（２１２）上にて面材（１）の周端部（１１）を支持するものとし、カバー枠材（２２）を、化粧カバー部（２２１）と面材押え部（２２２）及び枠基材係合部（２２３）とを有し、枠基材係合部（２２３）が第一段部（２１１）上に係合されることで枠基材（２１）に着脱自在に取り付けられ、面材押え部（２２２）にて周端部（１１）を第二段部（２１２）に対して押え付けると共に、化粧カバー部（２２１）にて第一段部（２１１）及び周端部（１１）とを覆うものとし、面材（１）を、枠基材（２１）の第二段部（２１２）及びカバー枠材（２２）の面材押え部（２２３）との間で保持され、且つカバー枠材（２２）の着脱によって取付け取外し自在なものとする。【選択図】      図１
2004251063.tif 000002
【特許請求の範囲】
【請求項１】
面材とその周端部を保持する枠体とを備えたキャビネット用前板であって、
枠体は、枠基材およびカバー枠材とからなる二部材構成であり、
枠基材は、互いに段状に配設された幅狭の第一段部および幅広の第二段部とを有し、第二段部上にて面材の周端部を支持するものであり、
カバー枠材は、化粧カバー部とその裏側に設けられた面材押え部および枠基材係合部とを有し、枠基材係合部が枠基材の第一段部上に係合されることで枠基材に着脱自在に取り付けられ、面材押え部にて枠基材の第二段部上にて支持された面材の周端部を当該第二段部に対して押え付けるとともに、化粧カバー部にて枠基材の第一段部および面材の周端部とを覆うものであり、
面材は、枠体における枠基材の第二段部およびカバー枠材の面材押え部との間で周端部が保持され、且つ枠基材からのカバー枠材の着脱によって取付け取外し自在となっている、
ことを特徴とするキャビネット用前板。
【請求項２】
枠体の枠基材は、第一段部および第二段部との間に少なくとも一部分が露出して設けられた弾性体をさらに有し、この弾性体の露出部分に第二段部上にて支持された面材の周端部側面が接するようになっている、
ことを特徴とする請求項１記載のキャビネット用前板。
【請求項３】
枠体のカバー枠材は、面材押え部に少なくとも一部分が露出して設けられた弾性体をさらに有し、この弾性体の露出部分に枠基材の第二段部上にて支持された面材の周端部前面が接するようになっている、
ことを特徴とする請求項１記載のキャビネット用前板。
【発明の詳細な説明】
【０００１】
【発明の属する技術分野】
この出願の発明は、キャビネット用前板に関するものである。さらに詳しくは、この出願の発明は、キャビネットに有用な、前板を構成する面材を簡単に取付け、取外しすることのできる、新しいキャビネット用前板に関するものである。
【０００２】
【従来の技術】
従来、キャビネットの前面開口を塞ぐ前板としては、ガラス板や鏡板などの面材とその周端部を保持する枠体とからなるものが知られている（特許文献１参照）。この前板はたとえば開閉自在にすることで扉として機能させることもできる。
【０００３】
【特許文献１】
特開２００２−２０１８６７号公報
【０００４】
【発明が解決しようとする課題】
しかしながら、上記特許文献１に記載のように、面材の四方周端部を上下左右の枠体（框とも呼べる）に設けられた溝部に嵌め込んでキャビネット用前板を形成するようにした場合、面材を取り外すには上下左右の枠体をばらさなければならず、面材の取替えは手間がかかるものであった。また、枠体の取替えも、全て解体し、再び面材との組立作業を一からやり直す必要があり、やはり手間のかかるものとなっていた。
【０００５】
面材および枠体の取替えは、修理や意匠変更などの際に必要とされ、容易な作業で行えることが切望されている。
【０００６】
そこで、この出願の発明は、以上のとおりの事情に鑑み、面材を簡単に取付け、取外しすることのできる、新しいキャビネット用前板を提供することを課題としている。
【０００７】
【課題を解決するための手段】
この出願の発明は、上記の課題を解決するものとして、第１には、面材とその周端部を保持する枠体とを備えたキャビネット用前板であって、枠体は、枠基材およびカバー枠材とからなる二部材構成であり、枠基材は、互いに段状に配設された幅狭の第一段部および幅広の第二段部とを有し、第二段部上にて面材の周端部を支持するものであり、カバー枠材は、化粧カバー部とその裏側に設けられた面材押え部および枠基材係合部とを有し、枠基材係合部が枠基材の第一段部上に係合されることで枠基材に着脱自在に取り付けられ、面材押え部にて枠基材の第二段部上にて支持された面材の周端部を当該第二段部に対して押え付けるとともに、化粧カバー部にて枠基材の第一段部および面材の周端部とを覆うものであり、面材は、枠体における枠基材の第二段部およびカバー枠材の面材押え部との間で周端部が保持され、且つ枠基材からのカバー枠材の着脱によって取付け取外し自在となっている、ことを特徴とするキャビネット用前板を提供する。
【０００８】
また、この出願の発明は、第２には、前記枠体の枠基材は、第一段部および第二段部との間に少なくとも一部分が露出して設けられた弾性体をさらに有し、この弾性体の露出部分に第二段部上にて支持された前記面材の周端部側面が接するようになっている、ことを特徴とするキャビネット用前板、第３には、前記枠体のカバー枠材は、面材押え部に少なくとも一部分が露出して設けられた弾性体をさらに有し、この弾性体の露出部分に枠基材の第二段部上にて支持された前記面材の周端部前面が接するようになっている、ことを特徴とするキャビネット用前板を提供する。
【０００９】
【発明の実施の形態】
上記のとおりの特徴を有するこの出願の発明によれば、たとえば図１に例示したように、面材（１）とその周端部（１１）を保持する枠体（２）とを備えたキャビネット用前板について、枠体（２）を、枠基材（２１）およびカバー枠材（２２）とからなる二部材構成とし、その枠基材（２１）は、互いに段状に配設された幅狭の第一段部（２１１）および幅広の第二段部（２１２）とを有し、第二段部（２１２）上にて面材（１）の周端部（１１）を支持するものとし、またそのカバー枠材（２２）は、化粧カバー部（２２１）とその裏側に設けられた面材押え部（２２２）および枠基材係合部（２２３）とを有し、枠基材係合部（２２３）が枠基材（２１）の第一段部（２１１）上に係合されることで枠基材（２１）に着脱自在に取り付けられ、面材押え部（２２２）にて枠基材（２１）の第二段部（２１２）上にて支持された面材（１）の周端部（１１）を当該第二段部（２１２）に対して押え付けるとともに、化粧カバー部（２２１）にて枠基材（２１）の第一段部（２１１）および面材（１）の周端部（１１）とを覆うものとし、他方、面材（１）は、枠体（２）における枠基材（２１）の第二段部（２１２）およびカバー枠材（２２）の面材押え部（２２２）との間で周端部（１１）が保持され、且つ枠基材（２１）からのカバー枠材（２２）の着脱によって取付け取外し自在なものとすることで、面材（１）の周端部（１１）を枠体（２）の枠基材（２１）およびカバー枠材（２２）とにより保持させてキャビネット用前板を形成した後でも、修理や交換等の際には、カバー枠材（２２）を枠基材（２１）から取り外すだけで面材（１）を取り外すことができ、また交換した面材（１）を取り付ける際もその周端部（１１）を枠基材（２１）に載置してカバー枠材（２２）を取り付けるだけでよく、一度組み上げた枠基材（２１）自体は解体することなく、面材（１）の簡単な取付け、取外しが実現されるのである。また、キャビネット用前板全体の意匠変更を考慮して枠体（２）を取り替える場合においても、枠体（２）の外観意匠を構成する化粧部材としてのカバー枠材（２２）のみを枠基材（２１）から取り外し、交換後のものを再び枠基材（２１）に取り付ければよいので、意匠変更も簡単な作業で可能となるのである。
【００１０】
この場合さらに説明すると、たとえば図１の実施形態では、枠体（２）の枠基材（２１）は、面材（１）の周端部（１１）を支持する枠体（２）の基礎部分を成す中空体状の部材であり、前側（つまりキャビネット用前板の正面側）に位置する平板状の第一段部（２１１）およびその後側（つまりキャビネット用前板の裏面側）に位置する平板状の第二段部（２１２）を備えており、第一段部（２１１）は幅が狭く、第二段部（２１２）は第一段部（２１１）よりも幅が広くなって、互いに段差を形成している。また第一段部（２１１）には、次述するカバー枠材（２２）の枠基材係合部（２２３）と係合する一対の被係合部（２１１ａ）が前方に突出して配設されてもいる。
【００１１】
他方、枠体（２）のカバー枠材（２２）は、上記枠基材（２１）にて支持されている面材（１）の周端部（１１）を押え付けて保持する保持部材、および枠基材（２１）と周端部（１１）とを覆って枠体（２）の正面外観を構成する化粧部材として機能するものであり、枠基材（２１）の第一段部（２１１）および面材（１）の周端部（１１）を覆うことができる幅寸法を少なくとも有する平板状の化粧カバー部（２２１）と、化粧カバー部（２２１）の裏面にて一方の側端から延びた面材押え部（２２２）と、化粧カバー部（２２１）の裏面にて他方の側端および略中央位置から後方に突出した一対の枠基材係合部（２２３）とを備えている。
【００１２】
これにおいて、まず枠基材（２１）の第二段部（２１２）上に面材（１）の周端部（１１）を載置し、続いてカバー枠材（２２）を前方から枠基材（２１）に対して取り付ける。取付けは枠基材係合部（２２３）を枠基材（２１）の第一段部（２１１）の被係合部（２１１ａ）に係合させることで行い、このとき、面材押え部（２２２）が面材（１）の周端部（１１）前面に接してそれを第二段部（２１２）に対して押え付けるとともに、化粧カバー部（２２１）が枠基材（２１）の第一段部（２１１）および面材（１）の周端部（１１）をカバーする。
【００１３】
したがって、面材（１）は、その周端部（１１）が枠基材（２１）の第二段部（２１２）およびカバー枠材（２２）の面材押え部（２２２）とでしっかりと挟持されて、枠体（２）とともにキャビネット用前板を構成することとなり、そしてその取替え時には、カバー枠材（２２）を枠基材係合部（２２３）と被係合部（２１１ａ）との係合状態を解除することで枠基材（２１）から取り外せば、簡単に取り外すことができ、取り付けもその逆の工程で簡単に行うことができる。もちろんカバー枠材（２２）も任意に且つ容易に交換することができる。
【００１４】
なお、本実施形態では、枠基材（２１）に、第一段部（２１１）および第二段部（２１２）との間にて少なくとも一部分が露出して設けられた弾性体（２１３）を設けており、この弾性体（２１３）の露出部分に第二段部（２１２）上にて支持された面材（１）の周端部（１１）側面が接するようになっている。
【００１５】
より具体的には、第一段部（２１１）および第二段部（２１２）との間に形成された段差内の溝空間に、弾性体（２１３）がその一側面が外方に露出するように嵌め込まれている。そして、面材（１）の周端部（１１）は、第二段部（２１２）上に載置される際に、その側端面が弾性体（２１３）の露出面に接する。
【００１６】
これによれば、弾性体（２１３）がクッションとして機能し、取付け・取外し時の衝撃等を吸収して、面材（１）の周端部（１１）を効果的に保護することができる。
【００１７】
この場合、弾性体（２１３）は溝空間の奥方向に伸縮性を有するものであることが好ましい。また、弾性体（２１３）は、段差部分の略全長に亘った長尺のものとしても、段差部分の一つまたは複数の適宜位置に配設される短尺のものとしてもよい。クッション効果が得られればよいのである。
【００１８】
またさらに、本実施形態では、カバー枠材（２２）にも、面材押え部（２２２）にて少なくとも一部分が露出して設けられた弾性体（２２４）を設けており、この弾性体（２２４）の露出部分に枠基材（２１）の第二段部（２１２）上にて支持された面材（１）の周端部（１１）前面が接するようになっている。
【００１９】
より具体的には、面材押え部（２２２）における面材（１）の周端部（１１）前面と接する部分に、弾性体（２２４）がその一部が露出するように嵌めこまれている。そして、この弾性体（２２４）は、カバー枠材（２２）の枠基材（２１）への取付け時に面材（１）の周端部（１１）前面に接触する。
【００２０】
これによれば、上記弾性体（２１３）と同様に、面材（１）の取付け・取外し時のクッション効果を発揮することができる。
【００２１】
この弾性体（２２４）も、面材押え部（２２２）の略全長に亘った長尺のものであっても、一つまたは複数の適宜位置に配設される短尺のものであってもよい。
【００２２】
図２は、以上の図１のキャビネット用前板の正面から見た全体像を示したものであり、枠体（２）はカバー枠材（２２）しか見えず、面材（１）とともにキャビネット用前板全体の意匠を構成していることがわかる。これにおいて、上述したようにカバー枠材（２２）のみを着脱するだけで、面材（１）およびカバー枠材（２２）の交換を行うことができる。
【００２３】
もちろん、この出願の発明は以上の実施形態に限定されるものではなく、細部については様々な態様が可能である。
【００２４】
【発明の効果】
以上詳しく説明したとおり、この出願の発明によって、面材を簡単に取付け、取外しすることができ、また枠体の意匠変更も容易に行うことのできる、新しいキャビネット用前板が提供される。
【図面の簡単な説明】
【図１】この出願の発明の一実施形態を示した要部拡大断面図である。
【図２】この出願の発明の一実施形態を示した正面図である。
【符号の説明】
１  面材
１１  周端部
２  枠体
２１  枠基材
２１１  第一段部
２１１ａ  被係合部
２１２  第二段部
２１３  弾性体
２２  カバー枠材
２２１  化粧カバー部
２２２  面材押え部
２２３  枠基材係合部
２２４  弾性体
【図１】
2004251063.tif 000003
【図２】
2004251063.tif 000004